(57)【要約】  【課題】  外出先でテレビ放送を受信し、その放送を受信中に任意にしおりを付加しておき、それを基に詳細情報を得ることのできる携帯端末装置を提供する。  【解決手段】  テレビ放送を受信するテレビ受信部１と、テレビ受信部１で受信したテレビ放送の特定情報を任意にしおりとして記憶する記憶手段１０と、記憶手段１０に記憶されたしおりの情報を予め定めたセンタ装置に送信し、センタ装置よりしおりの情報に関連する詳細情報を受信する送受信部２と、受信された詳細情報を表示する表示部８とを備えたものであり、テレビ受信部１で受信したテレビ放送の特定情報を任意にしおりとして記憶し、それを基に詳細情報をセンタ装置より容易に入手することができ、後でそれをゆっくりと見ることができる。【選択図】  図１
2005184181.tif 000002
【特許請求の範囲】
【請求項１】
テレビ放送を受信するテレビ受信手段と、前記テレビ受信手段で受信したテレビ放送の特定情報を任意にしおりとして記憶する記憶手段と、前記記憶手段に記憶された前記しおりの情報を予め定めたセンタ装置に送信する送信手段と、前記センタ装置より前記しおりの情報に関連する詳細情報を受信する受信手段と、前記受信手段によって受信された前記詳細情報を表示する表示手段とを備えたことを特徴とする携帯端末装置。
【請求項２】
前記しおりを記憶する記憶手段に加え、前記受信手段によって受信された前記詳細情報を記憶する第２の記憶手段、前記テレビ放送の属性、使用者嗜好、コメントなどのその他の情報を記憶する第３の記憶手段を設け、これらの記憶手段に記憶された情報を基に前記第２の記憶手段に記憶された前記詳細情報を任意に読み出し、前記表示手段に表示可能としたことを特徴とする請求項１記載の携帯端末装置。
【請求項３】
前記その他の情報を基に、前記第２の記憶手段に記憶された前記詳細情報を任意に読み出し、前記表示手段に表示可能なように構成するために、前記その他の情報を前記第２の記憶手段に記憶された前記詳細情報と互いに関連付けて記憶しておくことを特徴とする請求項２記載の携帯端末装置。
【請求項４】
前記しおりとして記憶する特定情報が、前記テレビ放送の放送時刻及びチャンネルを含むことを特徴とする請求項１〜３記載の携帯端末装置。
【請求項５】
前記しおりとして記憶する特定情報が、前記テレビ放送の番組及び内容を含むことを特徴とする請求項１〜３記載の携帯端末装置。
【発明の詳細な説明】
【技術分野】
【０００１】
本発明は、テレビ放送を受信可能な携帯端末装置に関する。
【背景技術】
【０００２】
従来、携帯端末装置では、電話機能に加え、電子メールやインターネット、その他、多くの機能が備え付けられている。特に、最近では、カメラを付加したり、テレビを視聴したりできるようなものも多く考えられている。
【０００３】
一方、テレビ放送を記録したり、再生したりする家庭用のＤＶＤレコーダでは、任意に任意の位置にしおりを付加し、そのしおりを基に、ＤＶＤレコーダに記録されたテレビ放送の内容を任意に検索、再生するものも知られている（特許文献１参照）。
【０００４】
このＤＶＤレコーダによれば、しおり機能により、ユーザの視聴動作を補助することができ、ユーザは効率よく、所定の番組を所定の位置から視聴できる。前回、途中まで視聴した番組にしおりを付加すれば、次回続けて視聴したい場合、その番組を容易に視聴することができる。重要なシーンにしおりを付加すれば、後からもう一度視聴したい場合、容易にそのシーンを見つけ出し、視聴することができる。などの種々の効果を発揮することができる。
【０００５】
【特許文献１】特開２００２−４４５８６号公報（第２頁、図２）
【発明の開示】
【発明が解決しようとする課題】
【０００６】
しかしながら、従来知られている特許文献１記載のＤＶＤレコーダは、あくまでも、ＤＶＤレコーダにしおりリストを用意しておき、そこにしおりを登録し、そのしおりを使用してＤＶＤレコーダに記録されたテレビ放送を任意に再生可能に構成しただけのものであり、しおりを基に更に詳細な情報を得るようなものではない。
【０００７】
また、この種のＤＶＤレコーダは、あくまでも、家庭用のものであり、外部に持ち出して携帯するものではなく、外部では使用不可能なものであった。
【０００８】
本発明は、以上のような従来の問題に鑑みてなされたものであり、外出先でテレビ放送を受信し、その放送を受信中に任意にしおりを付加しておき、それを基に詳細情報を得ることのできる携帯端末装置を提供するものである。
【課題を解決するための手段】
【０００９】
本発明の携帯端末装置は、テレビ放送を受信するテレビ受信手段と、前記テレビ受信手段で受信したテレビ放送の特定情報を任意にしおりとして記憶する記憶手段と、前記記憶手段に記憶された前記しおりの情報を予め定めたセンタ装置に送信する送信手段と、前記センタ装置より前記しおりの情報に関連する詳細情報を受信する受信手段と、前記受信手段によって受信された前記詳細情報を表示する表示手段とを備えた構成を有している。
【００１０】
この構成により、テレビ受信手段で受信したテレビ放送の特定情報を任意にしおりとして記憶し、それを基に詳細情報をセンタ装置より容易に入手することができるという作用を有する。
【００１１】
また、本発明の携帯端末装置は、前記しおりを記憶する記憶手段に加え、前記受信手段によって受信された前記詳細情報を記憶する第２の記憶手段、前記テレビ放送の属性、使用者嗜好、コメントなどのその他の情報を記憶する第３の記憶手段を設け、これらの記憶手段に記憶された情報を基に前記第２の記憶手段に記憶された前記詳細情報を任意に読み出し、前記表示手段に表示可能な構成を有する。
【００１２】
この構成により、テレビ放送の属性、使用者嗜好、コメントなどのその他の情報を基に、記憶手段に記憶された詳細情報を任意に読み出し、表示手段に表示することができ、使用者がこれらの情報を基にその詳細情報を容易に知ることができる。
【００１３】
また、本発明の携帯端末装置は、前記その他の情報を基に、前記第２の記憶手段に記憶された前記詳細情報を任意に読み出し、前記表示手段に表示可能なように構成するために、前記その他の情報を前記第２の記憶手段に記憶された前記詳細情報と互いに関連付けて記憶する構成を有している。
【００１４】
この構成により、その他の情報が詳細情報と関連付けられ、その他の情報を基に詳細情報を容易に正確に読み出し表示することができる。
【００１５】
また、本発明の携帯端末装置は、前記しおりとして記憶する特定情報が、前記テレビ放送の放送時刻及びチャンネルを含む構成を有する。
【００１６】
この構成により、テレビ放送の番組、内容を時刻、チャンネルで正確に特定することができ、センタ装置よりその番組、内容に応じた詳細情報を正確に入手することができる。
【００１７】
また、本発明の携帯端末装置は、前記しおりとして記憶する特定情報が、前記テレビ放送の番組及び内容を含む構成を有する。
【００１８】
この構成により、テレビ放送の番組、内容を基に、センタ装置よりその番組、内容に応じた詳細情報を正確に入手することができる。
【発明の効果】
【００１９】
本発明は、外出先でテレビ放送を受信し、その放送を受信中に任意にしおりを付加しておき、それを基に詳細情報を得ることのできるという効果を有する。
【発明を実施するための最良の形態】
【００２０】
以下、本発明の最良の実施の形態について説明する。
図１は、本発明の一実施の形態における携帯端末装置の概略構成を示すブロック図、図２は、別に設けたセンタ装置の概略構成を示すブロック図である。
【００２１】
本発明の一実施の形態における携帯端末装置は、図１に示すように、テレビ放送を受信するテレビ受信部１と、電話や電子メール、インターネットなどへの接続のための無線送受信部２と、マイク３、レシーバ４に接続された電話通話のための音声入出力部５と、電話の呼出しや、テレビの音声出力に使用する音声出力部６と、音声出力部６に接続されたスピーカ７と、電話やテレビなどの各種の必要な映像、情報などをそれぞれ表示する表示部８と、各種指令、情報等を入力する操作部９と、操作部９の操作によってしおり情報を記憶したり、しおり情報に関連する情報を記憶したりするメモリ１０と、これらを制御する制御部１１とを備えている。 
【００２２】
そして、別に設けたセンタ装置は、図２に示すように、携帯端末装置との間でインターネット、その他の回線を通して情報のやり取りを行う送受信部２１と、携帯端末装置より送信されてくるしおり情報に関連して、そのしおり情報に対応する詳細情報を常に更新登録しておくデータベース２２と、これらを制御する制御部２３とを備えている。
【００２３】
次に、本発明の一実施の形態における携帯端末装置について、その動作を説明する。
先ず、本発明の一実施の形態における携帯端末装置は、テレビ受信部１を用いてテレビ放送を任意に受信し、視聴できるように構成されている。
【００２４】
操作部９を用いて、携帯端末装置をテレビモードにすると、その状態で制御部１１の制御の基で、テレビ受信部１が動作状態になり、その状態で、操作部９で選択されたチャンネルのテレビ放送が受信可能な状態になる。受信されたテレビ放送の内容は、映像と音声にそれぞれ分離され、映像は表示部８に表示され、音声はスピーカ７より出力される。
【００２５】
操作部９を用いて、携帯端末装置を電話モードにすれば、その状態で電話や電子メール、インターネット通信が可能なように構成されている。なお、相手より電話呼出しがあった場合には、テレビモードであっても自動的に電話モードに切りかえられ、相手との電話が可能なように構成されている。
【００２６】
携帯端末装置が電話モードである場合には、操作部９を用いて相手の電話番号を入力したり、予め定めた操作キーを操作し、図示しない電話帳部より相手の電話番号を引き出したりして、これらの電話番号を一旦表示部８に表示し、その状態で予め定めた発信用の操作をすることにより、操作部９を用いて入力した電話番号や電話帳部より引出した電話番号をそれぞれ無線送受信部２を介して図示していない電話基地局に送信し発信することができる。そして、発信した電話に対し相手が応答すれば、無線送受信部２を介して相手との間で通話回路が形成され、マイク３、レシーバ４を用いて、音声入出力部５、無線送受信部２を介してそれぞれ相手との間で通話することができるようになる。
【００２７】
相手から電話呼出があり、それが無線送受信部２で受信された場合には、制御部１１の制御の基で、テレビモードであっても電話モードに自動的に切りかえられ、テレビの受信が一時中止され、音声出力部６よりスピーカ７に所定の呼出信号が出力され、スピーカより所定の呼出音が出力される。呼出音に応答して予め定めた所定の操作をすれば、その相手との間で通話することが可能になる。
【００２８】
電子メールの場合も同様に、送信する場合には、操作部９のナビゲーションキーや機能キー、テンキーなどを用いて、まず、電子メールしたい文章を作成し、それと共に相手の電子メールアドレスをメモリ１０の電話帳部より引き出したり、テンキーなどを用いて入力したりして、これらを一旦表示部８に表示し、その状態で送信用の所定のキーを操作することにより、テンキーなどで入力した電子メールアドレスや電話帳部より引出した電子メールアドレスと共にナビゲーションキーや機能キー、テンキーなどを用いて作成した電子メールを無線送受信部２を介して電子メールプロバイダー（図示せず）に送信し、相手に送信することができる。
【００２９】
相手からの電子メールは、無線送受信部２が自動的に受信し、制御部１１の制御の基で、メモリ１０の電子メール記憶部に自動的に記憶する。記憶された電子メールは、操作部９を用いてメモリ１０より任意に呼出すことにより、表示部８に表示して容易に確認することができる。
【００３０】
インターネットの場合には、操作部９のナビゲーションキーや機能キー、テンキーなどを用いて、必要な操作を行い、相手のアドレスを指定すれば、そのアドレスの相手との間で通信が可能になり、双方で通信することができるようになる。
【００３１】
ところで、本実施の形態では、図３に示すように、テレビ受信操作を行い（Ｓ３０１）、テレビ放送を受信している状態で（Ｓ３０２）、そのテレビ放送の任意の位置で、その時刻、チャンネルなどをしおりとして記録可能なように構成している。すなわち、テレビ受信中に予め定めた所定の操作を行うと、その操作を行った時刻、チャンネル、番組、内容などを特定する特定情報がしおりとしてメモリ１０に記憶される（Ｓ３０３）。
【００３２】
そして、この状態は、テレビ放送の受信が終了するまで継続し、テレビ放送の受信を終了したとき（Ｓ３０４のＹ）、終了する。言い換えれば、本実施の形態では、テレビ放送の受信中、いつでも必要な時点でしおりを記憶することができ、また、いくつでも記憶することが可能である。
【００３３】
このようにしてしおりが記憶されると、そのしおりの情報は、予め定めた操作部９の操作により、無線送受信部２を介して、電子メール、インターネットなどで、センタ装置に送信される。
【００３４】
図４に示すように、しおりの情報がセンタ装置に送信されると（Ｓ４０１）、センタ装置では、その情報を送受信部２１で受信し（Ｓ４０２）、制御部２３の制御の基で、受信したしおりの情報に該当する詳細情報をデータベース２２より検索し抽出する（Ｓ４０３）。そして、検索し抽出した詳細情報を、送受信部２１を介して携帯端末装置側に送信する（Ｓ４０４）。
【００３５】
携帯端末装置では、センタ装置より送信された詳細情報を受信し（Ｓ４０５）、それを表示部８に表示する（Ｓ４０６）。表示部８に詳細情報が表示されると、その状態で操作部９を用いて、テレビ放送の属性、使用者嗜好、コメントなどのその他の情報を付加することが可能であり、ここでこれらの情報を付加すると（Ｓ４０７）、その情報を基に詳細情報が任意に分類されてメモリ１０に記憶される（Ｓ４０８）。
【００３６】
したがって、メモリ１０に記憶された詳細情報を操作部９を用いて表示部８に表示する際、メモリ１０に記憶されたテレビ放送の属性、使用者嗜好、コメントなどのその他の情報を基に検索して表示することができる。
【００３７】
以上、本実施の形態によれば、テレビ放送受信中に、その時刻、チャンネル、番組、内容などの特定情報をしおりとして記憶しておくようにし、それを任意にセンタ装置に送信し、センタ装置から前記特定情報に関連する詳細情報を入手し、表示可能なように構成しており、従って、例えば、グルメ番組などで、好みの料理を放送している状態でしおりを記憶しておけば、後で、そのしおりを記憶した位置の好みの料理の詳細情報（例えば、レシピー、作り方など）を詳細に知ることができ、携帯端末装置でありながら、非常に有効な利用形態を得ることができる。
【００３８】
なお、本実施の形態では、表示部８に詳細情報が表示されている状態で操作部９を用いて、テレビ放送の属性、使用者嗜好、コメントなどのその他の情報を付加することができるように構成しているが、テレビ放送の属性、使用者嗜好、コメントなどのその他の情報は、表示部８に詳細情報が表示されている状態に限らず、テレビ受信中、その他の状態でも任意に操作部９を用いて入力可能なように構成しても良い。ただし、この場合、詳細情報を入手した際、詳細情報とその他の情報とを何らかの方法、例えば、しおりの情報を基に互いに関連付けられるようにしておくことが望ましいことは言うまでもないことである。
【００３９】
また、本実施の形態では、テレビ受信中に電話がかかってくると、自動的にテレビ受信モードから電話モードに切り替えられ、電話のみが可能になるように構成しているが、テレビ受信モードをそのままにして、その状態で電話ができるように構成しても良い。そして、このことは、相手に対し電話発信する場合も同様であり、テレビ受信のまま、相手に発信できるように構成しても良い。
【産業上の利用可能性】
【００４０】
本発明は、外出先でテレビ放送を受信し、その放送を受信中に任意にしおりを付加しておき、それを基に詳細情報を得ることのできるという効果を有し、テレビ放送を受信可能な携帯端末装置等に有用である。
【図面の簡単な説明】
【００４１】
【図１】本発明の一実施の形態における携帯端末装置の概略構成を示すブロック図
【図２】別に設けたセンタ装置の概略構成を示すブロック図
【図３】本発明の一実施の形態における携帯端末装置の動作を示す第１のフローチャート
【図４】本発明の一実施の形態における携帯端末装置の動作を示す第２のフローチャート
【符号の説明】
【００４２】
１  テレビ受信部
２  無線送受信部
３  マイク
４  レシーバ
５  音声入出力部
６  音声出力部
７  スピーカ
８  表示部
９  操作部
１０  メモリ
１１  制御部
２１  送受信部
２２  データベース
２３  制御部
【図１】
2005184181.tif 000003
【図２】
2005184181.tif 000004
【図３】
2005184181.tif 000005
【図４】
2005184181.tif 000006